(57)【要約】【課題】ウォーターフェンスを予め設置していない場所でも、浸水を効果的に抑制することが可能なウォーターフェンスを提供する。【解決手段】このウォーターフェンス１００は、設置面に配置される底部１１と、底部１１に接続されて鉛直方向に沿って延びる背面部１２とを含む本体部材１と、本体部材１の背面部１２に接続されて背面方向かつ鉛直方向に沿って延びる側面部材２とを備える。本体部材１の底部１１には、底部１１と設置面との間の水を吸い取るポンプ４を取り付けるための吸水装置取付部１３が設けられている。【選択図】図１
2018053533.tif 000002
【特許請求の範囲】
【請求項１】
設置面に配置される底部と、前記底部に接続されて鉛直方向に沿って延びる背面部とを含む本体部材と、
前記本体部材の前記背面部に接続されて背面方向かつ鉛直方向に沿って延びる側面部材とを備え、
前記本体部材の前記底部には、前記底部と設置面との間の水を吸い取る吸水装置を取り付けるための吸水装置取付部が設けられている、ウォーターフェンス。
【請求項２】
前記側面部材は、前記背面部に対して角度を変更可能に接続されている、請求項１に記載のウォーターフェンス。
【請求項３】
前記側面部材の一部は、前記本体部材の前記背面部と略同じ方向に沿って延びるように配置することが可能に構成されている、請求項１または２に記載のウォーターフェンス。
【請求項４】
前記側面部材は、略鉛直方向に延びる折線に沿って折り畳み可能に構成されている、請求項１〜３のいずれか１項に記載のウォーターフェンス。
【請求項５】
前記底部の設置面側に配置され、前記底部の設置面への設置性を向上させる設置力増強部材をさらに備える、請求項１〜４のいずれか１項に記載のウォーターフェンス。
【請求項６】
前記本体部材の前記底部および前記背面部と、前記側面部材とは、それぞれ、板材と前記板材を覆う防水性の被覆材とにより形成されている、請求項１〜５のいずれか１項に記載のウォーターフェンス。
【請求項７】
前記背面部および前記側面部材に接続され、前記背面部の背面側の設置面に配置される底面部材をさらに備える、請求項１〜６のいずれか１項に記載のウォーターフェンス。
【請求項８】
前記側面部材は、対向するように一対設けられており、
一対の前記側面部材がそれぞれ移動するのを抑制する側面支持部材をさらに備える、請求項１〜７のいずれか１項に記載のウォーターフェンス。
【請求項９】
前記本体部材の前記背面部が背面側に倒れるのを抑制する背面支持部材をさらに備える、請求項１〜８のいずれか１項に記載のウォーターフェンス。
【請求項１０】
前記本体部材および前記側面部材の少なくとも一部は、分割可能に構成されており、分割された部分同士は、止水ファスナーにより接続可能に構成されている、請求項１〜９のいずれか１項に記載のウォーターフェンス。
【発明の詳細な説明】
【技術分野】
【０００１】
この発明は、ウォーターフェンスに関する。
【背景技術】
【０００２】
従来、浸水を抑制するためのウォーターフェンスが知られている（たとえば、特許文献１参照）。
【０００３】
上記特許文献１には、階段部を覆う側壁により形成された開口部を覆う止水装置（ウォーターフェンス）が開示されている。この止水装置は、階段部を覆う側壁に取り付けられた浸水防止用袋体と、浸水防止用袋体にエアを吹き込むエア吹き込み手段とを備えている。また、止水装置は、浸水防止用袋体にエアが吹き込まれると、浸水防止用袋体が開口部全体を塞ぐようにして浸水を抑制している。
【先行技術文献】
【特許文献】
【０００４】
【特許文献１】特開２００４−０６０３４８号公報
【発明の概要】
【発明が解決しようとする課題】
【０００５】
しかしながら、上記特許文献１の止水装置（ウォーターフェンス）は、浸水防止用袋体と、エア吹き込み手段とを、予め浸水を抑制したい開口部を形成する側壁に設けておく必要があるという不都合がある。このため、止水装置を設備として予め開口部を形成する側壁に設置する必要があるので、止水装置（ウォーターフェンス）が予め設置されていない場所の浸水を抑制することが困難であるという問題点がある。
【０００６】
この発明は、上記のような課題を解決するためになされたものであり、この発明の１つの目的は、ウォーターフェンスを予め設置していない場所でも、浸水を効果的に抑制することが可能なウォーターフェンスを提供することである。
【課題を解決するための手段】
【０００７】
この発明の一の局面によるウォーターフェンスは、設置面に配置される底部と、底部に接続されて鉛直方向に沿って延びる背面部とを含む本体部材と、本体部材の背面部に接続されて背面方向かつ鉛直方向に沿って延びる側面部材とを備え、本体部材の底部には、底部と設置面との間の水を吸い取る吸水装置を取り付けるための吸水装置取付部が設けられている。
【０００８】
この発明の一の局面によるウォーターフェンスでは、上記のように、本体部材と側面部材とを設ける。これにより、本体部材と側面部材とを設置面に設置することにより、浸水を抑制したい開口部を容易に塞ぐことができるので、ウォーターフェンスを設備として予め開口部を形成する壁や柱などに設置する必要がない。その結果、ウォーターフェンスが予め設置されていない場所でも、浸水を効果的に抑制することができる。また、本体部材の背面部に接続されて背面方向かつ鉛直方向に沿って延びる側面部材を設ける。これにより、本体部材の背面部を水が回り込んでくるのを側面部材により抑制することができるので、浸水をより効果的に抑制することができる。その結果、背面部により開口部全体を塞がなくても浸水を効果的に抑制することができるので、背面部を跨ぐことにより、人が容易に出入りすることができる。また、本体部材の底部に、底部と設置面との間の水を吸い取る吸水装置を取り付けるための吸水装置取付部を設ける。これにより、吸水装置によりウォーターフェンスの底部と設置面との間の水が空気とともに吸い取られるので、ウォーターフェンスの底部と設置面との間に負圧を発生させることができる。その結果、底部および底部に接続された背面部を含む本体部材が設置面に対して浮き上がるのを抑制することができるので、ウォーターフェンスの総重量を小さくした場合でも、ウォーターフェンスが水に流されるのを抑制することができる。また、吸水装置により、侵入しようとする水を排出することができるので、浸水を効果的に抑制することができる。
【０００９】
上記一の局面によるウォーターフェンスにおいて、好ましくは、側面部材は、背面部に対して角度を変更可能に接続されている。このように構成すれば、側面部材を設置場所の形状に合わせて沿うように配置することができるので、水の回り込みを効果的に抑制することができる。
【００１０】
上記一の局面によるウォーターフェンスにおいて、好ましくは、側面部材の一部は、本体部材の背面部と略同じ方向に沿って延びるように配置することが可能に構成されている。このように構成すれば、側面部材を背面部と並べて配置することができるので、水を堰き止める水平方向の長さを側面部材により容易に調整することができる。
【００１１】
上記一の局面によるウォーターフェンスにおいて、好ましくは、側面部材は、略鉛直方向に延びる折線に沿って折り畳み可能に構成されている。このように構成すれば、側面部材の水平方向の長さを容易に調整することができる。
【００１２】
上記一の局面によるウォーターフェンスにおいて、好ましくは、底部の設置面側に配置され、底部の設置面への設置性を向上させる設置力増強部材をさらに備える。このように構成すれば、凹凸のある設置面に対しての設置性や水密性を向上させることができるので、安定してウォーターフェンスを設置することができる。その結果、ウォーターフェンスの底面からの浸水を効果的に抑制することができる。
【００１３】
上記一の局面によるウォーターフェンスにおいて、好ましくは、本体部材の底部および背面部と、側面部材とは、それぞれ、板材と板材を覆う防水性の被覆材とにより形成されている。このように構成すれば、防水性の被覆材により、底部、背面部および側面部材を水が通り抜けるのを抑制することができるので、浸水を効果的に抑制することができる。また、被覆材により被覆することにより、本体部材および側面部材の耐摩耗性を高めることができる。また、底部の板材と背面部の板材との境界を折り目として容易に折り畳むことができるので、ウォーターフェンスの保管時のスペースを小さくすることができる。
【００１４】
上記一の局面によるウォーターフェンスにおいて、好ましくは、背面部および側面部材に接続され、背面部の背面側の設置面に配置される底面部材をさらに備える。このように構成すれば、背面部および側面部材が接続されている角部の設置面に底面部材を配置することができるので、角部の底面からの浸水を効果的に抑制することができる。
【００１５】
上記一の局面によるウォーターフェンスにおいて、好ましくは、側面部材は、対向するように一対設けられており、一対の側面部材がそれぞれ移動するのを抑制する側面支持部材をさらに備える。このように構成すれば、側面部材が水により動かされるのを抑制することができる。
【００１６】
上記一の局面によるウォーターフェンスにおいて、好ましくは、本体部材の背面部が背面側に倒れるのを抑制する背面支持部材をさらに備える。このように構成すれば、背面部が水に押されて倒れるのを抑制することができるので、浸水をより確実に防ぐことができる。
【００１７】
上記一の局面によるウォーターフェンスにおいて、好ましくは、本体部材および側面部材の少なくとも一部は、分割可能に構成されており、分割された部分同士は、止水ファスナーにより接続可能に構成されている。このように構成すれば、本体部材および側面部材の一部を分割することにより、ウォーターフェンスの水平方向の長さを容易に調整することができる。また、分割することにより、ウォーターフェンスの保管時のスペースを容易に小さくすることができる。また、止水ファスナーにより継手からの浸水を抑制することができる。
【発明の効果】
【００１８】
本発明によれば、上記のように、ウォーターフェンスを予め設置していない場所でも、浸水を効果的に抑制することができる。
【図面の簡単な説明】
【００１９】
【図１】本発明の第１実施形態によるウォーターフェンスを示した斜視図である。
【図２】本発明の第１実施形態によるウォーターフェンスを底面側から見た図である。
【図３】本発明の第１実施形態によるウォーターフェンスの吸水装置取付部を説明するための図である。
【図４】本発明の第１実施形態によるウォーターフェンスの底部、背面部および側面部材の特性を示した表である。
【図５】本発明の第１実施形態によるウォーターフェンスの設置力増強部材の特性を示した表である。
【図６】本発明の第１実施形態によるウォーターフェンスの設置力増強部材の水透過の特性を示した表である。
【図７】本発明の第１実施形態によるウォーターフェンスのチューブ材の特性を示した表である。
【図８】本発明の第１実施形態によるウォーターフェンスの第１使用例を示した平面図である。
【図９】本発明の第１実施形態によるウォーターフェンスの第２使用例を示した平面図である。
【図１０】本発明の第１実施形態によるウォーターフェンスの第３使用例を示した側面図である。
【図１１】本発明の第２実施形態によるウォーターフェンスを示した斜視図である。
【図１２】本発明の第２実施形態によるウォーターフェンスの底面部材の折り返しを説明するための図である。
【図１３】本発明の第１および第２実施形態の変形例によるウォーターフェンスを底面側から見た図である。
【図１４】本発明の第１および第２実施形態の変形例によるウォーターフェンスの吸水装置取付部周辺を示した側面図である。
【発明を実施するための形態】
【００２０】
以下、本発明の実施形態を図面に基づいて説明する。
【００２１】
（第１実施形態）
図１〜図１０を参照して、本発明の第１実施形態によるウォーターフェンス１００の構成について説明する。
【００２２】
（ウォーターフェンスの構成）
図１〜図１０を参照して、本発明の第１実施形態について説明する。第１実施形態によるウォーターフェンス１００は、建物への浸水を防いだり、工事現場などにおいて水を長時間せき止めたり、流れを有する河川などをせき止めたりするために用いられる。ウォーターフェンス１００は、図１に示すように、本体部材１と、側面部材２と、設置力増強部材３とを備えている。ウォーターフェンス１００の本体部材１は、Ｘ方向に延びるように形成されており、Ｙ方向の水を止めるように設置される。また、図１に示すように、ウォーターフェンス１００には、自吸機能を有した自吸ポンプ（以下「ポンプ」と称す）４が接続されている。ポンプ４は、急な増水に対しても信頼性の高い水没使用が可能な防水構造を有するポンプとすることが望ましい。また、ウォーターフェンス１００は、図２に示すように、設置力増強部材３の底面に配置されたチューブ材３１を備えている。また、ウォーターフェンス１００は、図１および図２に示すように、一対の側面部材２の間に配置されるつっかえ棒５を備えている。なお、ポンプ４は、特許請求の範囲の「吸水装置」の一例である。
【００２３】
本体部材１は、図１に示すように、底部１１と、背面部１２と、吸水装置取付部１３と、止水ファスナー１４とを含んでいる。本体部材１は、浸水を防止するための堰を形成している。具体的には、本体部材１は、建物や地下への入口や扉（図示せず）などの前面側（Ｙ２方向側）に配置され、背面側（Ｙ１方向側）への浸水を防止する堰を形成している。本体部材１は、底部１１と背面部１２とにより、Ｘ方向に見て、略Ｌ字形状を有している。本体部材１は、底部１１および背面部１２に沿って、Ｌ字形状の重しを配置することが可能に構成されている。
【００２４】
ここで、第１実施形態では、図１に示すように、底部１１は、設置面に配置されている。具体的には、底部１１は、水平方向（ＸＹ方向）に沿って延びる板状に形成されている。また、底部１１は、Ｘ方向に延びる矩形形状に形成されている。また、底部１１は、水を透過させない素材により形成されている。また、底部１１は、折り畳み可能な部材により形成されている。底部１１は、板材１１１と、板材１１１を覆う防水性の被覆材１１２とにより形成されている。
【００２５】
板材１１１は、たとえば、プラスチック製段ボールにより形成されている。プラスチック製段ボールの厚さは、３ｍｍ以上７ｍｍ以下程度である。プラスチック製段ボールは、ポリプロピレンなどのプラスチックにより形成されている。プラスチック製段ボールは、波状の芯部材を外側の一対の平板状の部材により挟み込んで形成されている。つまり、プラスチック製段ボールは、芯部材の波の筋方向により、異なる機械的強度を有している。具体的には、プラスチック製段ボールの筋方向の圧縮強度は、筋方向と直交する方向の圧縮強度より強い。
【００２６】
被覆材１１２は、防水性および耐摩耗性に優れた材料により形成されている。たとえば、被覆材１１２は、樹脂製繊維を織ったシート状の材料により形成されている。また、被覆材１１２は、板材１１１よりも小さい厚みを有している。たとえば、被覆材１１２は、２ｍｍ程度の厚さを有している。また、被覆材１１２は、板材１１１よりも折り畳みやすい材料により形成されている。
【００２７】
底部１１には、底部１１と設置面との間の水を吸い取るポンプ４を取り付けるための吸水装置取付部１３が配置されている。具体的には、図３に示すように、吸水装置取付部１３は、底部１１に設けられた孔１１ａに挿入されている。また、底部１１のプラスチック製段ボールの筋は、前面から背面に向かう方向（Ｙ方向）に沿って延びるように配置されている。これにより、底部１１のＹ方向の機械的強度を高めることが可能である。
【００２８】
また、第１実施形態では、背面部１２は、底部１１に接続されて鉛直方向（Ｚ方向）に沿って延びるように配置されている。具体的には、背面部１２は、鉛直方向に沿って延びる板状に形成されている。また、背面部１２は、Ｘ方向に延びる矩形形状に形成されている。また、背面部１２は、水を透過させない素材により形成されている。また、背面部１２は、折り畳み可能な部材により形成されている。背面部１２は、板材１２１と、板材１２１を覆う防水性の被覆材１２２とにより形成されている。板材１２１は、板材１１１と同様の部材により形成されている。被覆材１２２は、被覆材１１２と同様の部材により形成されている。背面部１２の板材１２１のプラスチック製段ボールの筋は、鉛直方向（Ｚ方向）に沿って延びるように配置されている。これにより、背面部１２のＺ方向の機械的強度を高めることが可能である。
【００２９】
吸水装置取付部１３は、底面と設置面との間の水を吸い取るポンプ４を取り付けるために設けられている。具体的には、吸水装置取付部１３の上側（Ｚ１方向側）の端部には、ポンプ４に接続される管４１（ホースなど）が接続されるように構成されている。
【００３０】
吸水装置取付部１３は、図３に示すように、底部１１の孔１１ａに挿入されている。吸水装置取付部１３は、底部１１に当接する当接部１３１を含んでいる。吸水装置取付部１３の下側（Ｚ２方向側）の端部には、本体部材１の底面と設置面との間の水を吸い取るための吸水パイプ１３２が接続されている。これにより、本体部材１の底面と設置面との間の水が、ポンプ４により吸水される。なお、吸水パイプ１３２に、異物除去用のフィルターを設けてもよい。これにより、ポンプ４によって吸い込み、排出される水からゴミなどの異物を除去することができるので、緊急時の水として活用することも可能である。なお、フィルターは吸込みから排出までの間に設けられれば良いので、ポンプ４の吸水用ホースなどに設けてもよい。
【００３１】
また、吸水装置取付部１３の外周には、ネジ山が切られている。吸水装置取付部１３には、当接部１３１とともに底部１１を挟み込んで固定する締結部材１３３が締結される。締結部材１３３は、たとえば、ナットである。また、当接部１３１および底部１１の間と、底部１１および締結部材１３３の間とには、それぞれ、ガスケット１３４が配置されている。これにより、孔１１ａを封止することができるので、本体部材１（底部１１）と設置面との間の空間の負圧状態を維持することができるとともに、孔１１ａから底部１１の下側（設置面側）に水が入り込むのを抑制することが可能である。
【００３２】
止水ファスナー１４は、分割可能な本体部材１を連結するように構成されている。本体部材１は、分割可能に構成されている。具体的には、本体部材１は、Ｘ方向の長さを調整するように略中央で分割可能である。また、本体部材１は、底部１１と、背面部１２とが分割可能である。止水ファスナー１４同士を係合することにより、分割された部分同士が互いに接続されるように構成されている。また、止水ファスナー１４同士の係合を解除することにより、分割可能な部分が互いに分離されるように構成されている。
【００３３】
ここで、第１実施形態では、側面部材２は、ウォーターフェンス１００の背面側（Ｙ１方向側）に配置されている。また、側面部材２は、浸水を止める建物や入口の内側の壁や柱または外側の壁や柱に配置され、ウォーターフェンス１００のＸ方向からの浸水を抑制するように構成されている。側面部材２は、本体部材１の背面部１２に接続されている。具体的には、側面部材２は、背面部１２の背面側（Ｙ１方向側）に接続されている。また、側面部材２は、背面方向（Ｙ１方向）かつ鉛直方向（Ｚ方向）に沿って延びるように配置されている。具体的には、側面部材２は、鉛直方向に沿って延びる板状に形成されている。また、側面部材２は、Ｙ方向に延びる矩形形状に形成されている。また、側面部材２は、水を透過させない素材により形成されている。また、側面部材２は、折り畳み可能な部材により形成されている。側面部材２は、板材２１と、板材２１を覆う防水性の被覆材２２とにより形成されている。板材２１は、板材１１１と同様の部材により形成されている。被覆材２２は、被覆材１１２と同様の部材により形成されている。側面部材２の板材２１のプラスチック製段ボールの筋は、鉛直方向（Ｚ方向）に沿って延びるように配置されている。これにより、側面部材２のＺ方向の機械的強度を高めることが可能である。
【００３４】
側面部材２は、背面部１２に対して角度を変更可能に接続されている。具体的には、平面視において（Ｚ方向に見て）、側面部材２と、背面部１２とのなす角は、変更可能に構成されている。また、側面部材２と、背面部１２との連結部分は折れ曲がることが可能に接続されている。また、側面部材２の一部は、本体部材１の背面部１２と略同じ方向に沿って延びるように配置することが可能に構成されている。具体的には、側面部材２は、略鉛直方向（Ｚ方向）に延びる折線に沿って折り畳み可能に構成されている。また、側面部材２は、板材２１が水平方向に沿って３つに分割されている。３つの板材２１は、共通の被覆材２２により覆われて連結されている。そして、側面部材２は、３つに分割された板材２１の間の折線に沿って折り畳み可能に構成されている。これにより、一部の側面部材２を背面部１２に隣接するようにＸ方向に延びるように配置することが可能である。
【００３５】
また、側面部材２は、対向するように一対設けられている。具体的には、側面部材２は、背面部１２に対してＸ方向における両端に一対設けられている。図１および図２に示すように、一対の側面部材２の間には、つっかえ棒５が配置される。つっかえ棒５は、一対の側面部材２がＸ方向における内側に移動するのを抑制するように構成されている。つっかえ棒５は、伸縮可能に構成されている。これにより、つっかえ棒５を一対の側面部材２の間に調整して挿入することが可能である。なお、つっかえ棒５は、特許請求の範囲の「側面支持部材」の一例である。
【００３６】
また、図２に示すように、側面部材２の壁や柱などに当接する部分には、シール材２ａが設けられている。シール材２ａは、側面部材２と、壁や柱との間の隙間を埋めるために設けられている。シール材２ａは、水を通しにくい材料により形成されている。また、シール材２ａは、弾性を有する（柔らかい）部材により形成されている。シール材２ａは、たとえば厚さ３ｍｍ以上５ｍｍ以下程度のゲル状の材料や、設置力増強部材３と同じ材料により形成されている。
【００３７】
図１に示すように、設置力増強部材３は、本体部材１の底面に配置され、本体部材１（底部１１）の設置面への設置性を向上させるように構成されている。つまり、本体部材１の設置時の自重と、ポンプ４が吸水することとによって、設置力増強部材３は、弾性圧縮変形するとともに、外部の水を所定量透過させることにより、本体部材１の設置面内の圧力を低圧安定させるように構成されている。
【００３８】
具体的には、設置力増強部材３は、本体部材１の自重と、ポンプ４が吸水することにより生じる負圧と、ウォーターフェンス１００の前に押し寄せる水の重さとにより、圧縮されて、水の透過率が所定の値となることにより、本体部材１の底面と設置面との間に外部からの水を所定量透過させてポンプ４の自吸水を確保するように構成されている。
【００３９】
設置力増強部材３は、半連続気泡構造を有しており、圧縮変形されることにより水の透過率が変化するように構成されている。設置力増強部材３は、たとえば、半連続気泡構造の気孔率５０％〜６０％程度のやわらかいスポンジ材により形成されている。また、設置力増強部材３は、半連続気泡構造のスポンジが圧縮されることによりスポンジの孔が小さくなり、水の透過率が変わるように構成されている。また、設置力増強部材３は、圧縮力がかからない状態において、たとえば、約２０ｍｍ以上約３０ｍｍ以下の高さを有する。ポンプ４が駆動された場合、半連続気泡構造のスポンジは５０〜８０％程度圧縮されることが望ましい。
【００４０】
また、ポンプ４は設置力増強部材３を透過した水を、設置面内側の空間の空気とともに吸引するように構成されている。つまり、設置力増強部材３により吸水された水が吸水パイプ１３２を介してポンプ４に吸引されるように構成されている。なお、ポンプ４は、空気とともに水を吸い込むので、ポンプ４の吐出口から水を吐き出す状態と、ポンプ４の吐出口から少しの水を空気とともに吐き出す状態とを数秒程度の周期で繰り返す間欠運転となる。
【００４１】
また、ポンプ４により、設置力増強部材３を透過した水を、設置面内側の空間の空気とともに吸引することにより、本体部材１（底部１１）と設置面との間の空間の真空度が上げられる（空間の気圧が下がり、負圧状態となる）。これにより、設置面に対して本体部材１を安定させて配置することが可能に構成されている。その結果、本体部材１が水により押されて変形したり、流されたりすることを効果的に抑制することが可能である。
【００４２】
また、設置力増強部材３は、両面テープなどの接着層を介して、底部１１に取り付けられる。また、図２に示すように、設置力増強部材３は、平面視において（Ｚ方向から見て）、本体部材１の底面の外周部に環状に配置されている。
【００４３】
また、設置力増強部材３は、組み立てる前において、端部が底部１１からＸ方向にはみ出して構成していることが望ましい。たとえば、設置力増強部材３は、Ｘ１側およびＸ２側の端部が、底部１１の端部よりも５〜１０ｍｍ程度突出して構成してもよい。なお、突出量は、ウォーターフェンス１００のＸ方向の長さ、設置力増強部材３の硬さなどに応じて適宜設定してもよい。これにより、設置力増強部材３のＸ方向の端部同士を合わせた場合に、設置力増強部材３が圧縮されて端部同士が合わされる。これにより、設置力増強部材３の端部間に隙間が生じるのを抑制して、密着させた状態でウォーターフェンス１００を組み立てることができるので、本体部材１と設置面との間の気密性を高めることができる。その結果、ポンプ４の吸引により、本体部材１と設置面との間の空間の真空度を効果的に上げる（空間の気圧を下げる）ことが可能である。
【００４４】
図２に示すように、チューブ材３１は、設置力増強部材３の底面に配置されている。また、チューブ材３１は、設置力増強部材３よりも低い吸水率を有するとともに、設置力増強部材３よりも柔らかい。具体的には、チューブ材３１は、中空形状を有する管状部材である。また、チューブ材３１は、外力により変形しやすい材料により形成されている。たとえば、チューブ材３１は、ゴムにより形成されている。また、チューブ材３１は、断面形状が楕円形状を有している。また、チューブ材３１は、たとえば、１．５ｍｍ程度の肉厚を有する管状部材である。また、チューブ材３１は、設置力増強部材３に、接着層を介して貼りつけられている。たとえば、チューブ材３１は、ゲル状の瞬間接着材により設置力増強部材３に接着されている。なお、接着層は、テープ等であってもよい。また、接着層は、耐水性があるものが好ましい。
【００４５】
また、チューブ材３１は、設置面の目地などの凹凸に食い込むように構成されている。つまり、チューブ材３１は、本体部材１の自重と、ポンプ４の吸引力によって生じる負圧と、ウォーターフェンス１００の前に押し寄せる水の重さとにより圧縮されるように構成されている。これにより、チューブ材３１が設置面の凹凸にフィッティングするように構成されている。また、チューブ材３１が圧縮されて変形することにより、設置力増強部材３も設置面に密着して接するように構成されている。
【００４６】
また、チューブ材３１は、設置力増強部材３よりも小さい幅を有する。たとえば、チューブ材３１は、設置力増強部材３の１／４程度の幅を有する。また、チューブ材３１は、設置面の目地などの凹凸の深さと同程度、または、少し大きい高さを有する。たとえば、チューブ材３１は、１０ｍｍ以下の高さを有する。
【００４７】
また、チューブ材３１は、設置力増強部材３に沿って配置されている。具体的には、チューブ材３１は、平面視において（Ｚ方向に見て）略ロ字形状に配置された設置力増強部材３に沿って、略ロ字形状に配置されている。また、チューブ材３１は、設置力増強部材３の略中央に配置されている。また、チューブ材３１は、分割可能に構成されている。
【００４８】
また、分割されたチューブ材３１は、平面視において（Ｚ方向に見て）、互いに端部がずれた状態で配置されている。具体的には、Ｘ１方向側に配置されたチューブ材３１のＸ２方向側の端部は、Ｙ方向における外側に曲げられて、Ｘ２方向側に配置されたチューブ材３１に対して端部がずれるように配置されている。
【００４９】
ポンプ４は、本体部材１の底面と設置面との間の水を吸い取るように構成されている。また、ポンプ４は、水深が浅い水を吸水可能に構成されている。これにより、ポンプ４は、設置面と本体部材１の底面との間に浸水した少量の水を効果的に排水することが可能である。
【００５０】
図４を参照して、底部１１の板材１１１、背面部１２の板材１２１および側面部材２の板材２１の特性の一例について説明する。
【００５１】
図４に示すように、板材１１１、１２１および２１は、たとえば、見掛け密度が１６７ｋｇ／ｍ3であり、エンドクラッシュが、筋方向において６３Ｎであり、筋と垂直方向において６Ｎである。なお、エンドクラッシュは、プラスチック製ダンボールの板方向に沿って、圧縮荷重をかけて、折れる際の機械的強度を測定したものである。また、このエンドクラッシュは、５０ｍｍ間隔で測定している。また、フラットクラッシュが、３００ｋＰａである。なお、フラットクラッシュは、プラスチック製段ボールの板方向と直交する方向に荷重をかけて、座屈する際の機械的強度を測定したものである。
【００５２】
図５を参照して、設置力増強部材３の特性の一例について説明する。
【００５３】
図５に示すように、設置力増強部材３は、たとえば、見掛け密度が１１０ｋｇ／ｍ3であり、引張強さが８０ｋＰａであり、伸びが４５０％である。また、設置力増強部材３は、圧縮硬さが、圧縮率が２５％の場合、３．３ｋＰａであり、圧縮率が５０％の場合、４．５ｋＰａである。
【００５４】
図６を参照して、設置力増強部材３の特性（水透過）の一例について説明する。
【００５５】
図６に示すように、水透過について、設置力増強部材３は、圧縮率が６０％の場合、水深１００ｍｍの水頭圧（１００ｍｍＨ2Ｏ＝０．０１ｋｇｆ／ｃｍ2≒０．９８ｋＰａ）に対して、１０分以内に水漏れがあった。また、設置力増強部材３は、圧縮率が７０％の場合、水深１００ｍｍの水頭圧（１００ｍｍＨ2Ｏ＝０．０１ｋｇｆ／ｃｍ2≒０．９８ｋＰａ）に対して、１０分を超えて３０分以内に水漏れがあった。また、設置力増強部材３は、圧縮率が８０％および９０％の場合、水深１００ｍｍの水頭圧（１００ｍｍＨ2Ｏ＝０．０１ｋｇｆ／ｃｍ2≒０．９８ｋＰａ）に対して、３０分間水漏れしなかった。なお、水透過について、１０分以内に水漏れがあった場合、「△」と示し、１０分を超えて３０分以内に水漏れがあった場合、「○」と示し、３０分間水漏れしなかった場合、「◎」と示している。
【００５６】
設置力増強部材３に用いる気孔率５０％〜６０％程度の半連続気泡構造のスポンジ材は、図６に示す一例のように、圧縮率に応じた透過率となる。また、設置力増強部材３は、５０％以上８０％以下の圧縮率になるように圧縮抑制することにより、半連続気泡構造のスポンジを透過する水量をポンプ４の呼び水として適度な透過水量に抑えることが可能である。また、設置力増強部材３（スポンジ）を透過した水をポンプ４で排水するので本体部材１を越えて浸水させないようにすることが可能である。つまり、壁や柱の前に水が押し寄せ、水の重量が設置力増強部材３に加わり、ポンプ４を駆動させた場合に、設置力増強部材３の圧縮率が５０％以上８０％以下になることが好ましい。
【００５７】
図７を参照して、チューブ材３１の特性の一例について説明する。
【００５８】
図７に示すように、チューブ材３１は、たとえば、見掛け密度が７８０ｋｇ／ｍ3であり、引張強さが３４０ｋＰａであり、伸びが７５０％である。つまり、チューブ材３１は、設置力増強部材３よりも柔らかい。また、チューブ材３１は、２００％に伸ばした際の引張応力が８０ｋＰａである。なお、引張強さ、伸び率、２００％引張応力は、長さ１０ｃｍのチューブ材３１に２．５ｍｍほどの切り込みを入れて試験を行った。また、チューブ材３１は、吸水率が１．０％以下である。つまり、チューブ材３１は、設置力増強部材３よりも低い吸水率を有する。
【００５９】
図８を参照して、ウォーターフェンス１００の第１使用例について説明する。
【００６０】
第１使用例では、図８に示すように、側面部材２を壁１０の内側に配置する。そして、つっかえ棒５を、対向する一対の側面部材２の間に配置する。これにより、壁１０と側面部材２とが密着し、浸水を効果的に抑制することが可能である。
【００６１】
図９を参照して、ウォーターフェンス１００の第２使用例について説明する。
【００６２】
第２使用例では、図９に示すように、側面部材２を壁１０の外側に配置する。そして、ウェイト５１を側面部材２の外側に配置して、側面部材２を壁１０の外側に当接させる。つまり、ウェイト５１は、一対の側面部材２がそれぞれ移動するのを抑制するように構成されている。なお、側面部材２を壁１０の外側に配置した場合、側面部材２が押し寄せる水により壁１０の外側に押しつけられるのであれば、ウェイト５１を配置しなくてもよい。なお、ウェイト５１は、特許請求の範囲の「側面支持部材」の一例である。
【００６３】
また、第２使用例では、側面部材２の一部を背面部１２と略同じ方向（Ｘ方向）に沿って延びるように配置している。この場合、Ｘ方向に延びる側面部材２の前面側（図９破線領域）に底部を止水ファスナにより連結してもよい。なお、この場合、設置力増強部材３は、底部１１と、側面部材２の前面側に増設した底部の底面にロ字状に設けられる事が望ましい。また、第２使用例においても、側面部材２の壁１０に当接する部分には、シール材２ａが設けられている。シール材２ａは、平面視において（Ｚ方向から見て）、略Ｌ字形状に配置される。
【００６４】
図１０を参照して、ウォーターフェンス１００の第３使用例について説明する。
【００６５】
第３使用例では、図１０に示すように、ウォーターフェンス１００には、本体部材１の背面部１２が背面側（Ｙ１方向側）に倒れるのを抑制する背面支持部材５２が設けられている。背面支持部材５２は、Ｘ方向に沿って、複数設けられている。背面支持部材５２は、棒状に形成されており、背面部１２と、設置面と接している。また、背面支持部材５２は、Ｘ方向から見て、設置面に対して所定の角度を有して斜めに立てられている。
【００６６】
（第１実施形態の効果）
第１実施形態では、以下のような効果を得ることができる。
【００６７】
第１実施形態では、上記のように、本体部材１と側面部材２とを設ける。これにより、本体部材１と側面部材２とを設置面に設置することにより、浸水を抑制したい開口部を容易に塞ぐことができるので、ウォーターフェンス１００を設備として予め開口部を形成する壁や柱などに設置する必要がない。その結果、ウォーターフェンス１００が予め設置されていない場所でも、浸水を効果的に抑制することができる。また、本体部材１の背面部１２に接続されて背面方向（Ｙ１方向）かつ鉛直方向（Ｚ方向）に沿って延びる側面部材２を設ける。これにより、本体部材１の背面部１２を水が回り込んでくるのを側面部材２により抑制することができるので、浸水をより効果的に抑制することができる。その結果、背面部１２により開口部全体を塞がなくても浸水を効果的に抑制することができるので、背面部１２を跨ぐことにより、人が容易に出入りすることができる。また、本体部材１の底部１１に、底部１１と設置面との間の水を吸い取るポンプ４を取り付けるための吸水装置取付部１３を設ける。これにより、ポンプ４によりウォーターフェンス１００の底部１１と設置面との間の水が空気とともに吸い取られるので、ウォーターフェンス１００の底部１１と設置面との間に負圧を発生させることができる。その結果、底部１１および底部１１に接続された背面部１２を含む本体部材１が設置面に対して浮き上がるのを抑制することができるので、ウォーターフェンス１００の総重量を小さくした場合でも、ウォーターフェンス１００が水に流されるのを抑制することができる。また、ポンプ４により、侵入しようとする水を排出することができるので、浸水を効果的に抑制することができる。
【００６８】
また、第１実施形態では、上記のように、側面部材２を、背面部１２に対して角度を変更可能に接続する。これにより、側面部材２を設置場所の形状に合わせて沿うように配置することができるので、水の回り込みを効果的に抑制することができる。
【００６９】
また、第１実施形態では、上記のように、側面部材２の一部を、本体部材１の背面部１２と略同じ方向に沿って延びるように配置することが可能に構成する。これにより、側面部材２を背面部１２と並べて配置することができるので、水を堰き止める水平方向（Ｘ方向）の長さを側面部材２により容易に調整することができる。
【００７０】
また、第１実施形態では、上記のように、側面部材２を、略鉛直方向（Ｚ方向）に延びる折線に沿って折り畳み可能に構成する。これにより、側面部材２の水平方向（Ｙ方向）の長さを容易に調整することができる。
【００７１】
また、第１実施形態では、上記のように、底部１１の設置面側に配置され、底部１１の設置面への設置性を向上させる設置力増強部材３を設ける。これにより、凹凸のある設置面に対しての設置性や水密性を向上させることができるので、安定してウォーターフェンス１００を設置することができる。その結果、ウォーターフェンス１００の底面からの浸水を効果的に抑制することができる。
【００７２】
また、第１実施形態では、上記のように、本体部材１の底部１１を、板材１１１と板材１１１を覆う防水性の被覆材１１２とにより形成する。また、本体部材１の背面部１２を、板材１２１と板材１２１を覆う防水性の被覆材１２２とにより形成する。また、側面部材２を、板材２１と板材２１を覆う防水性の被覆材２２とにより形成する。これにより、防水性の被覆材１１２、１２２および２２により、それぞれ、底部１１、背面部１２および側面部材２を水が通り抜けるのを抑制することができるので、浸水を効果的に抑制することができる。また、被覆材２２、１１２および１２２により被覆することにより、本体部材１および側面部材２の耐摩耗性を高めることができる。また、底部１１の板材１１１と背面部１２の板材１２１との境界を折り目として容易に折り畳むことができるので、ウォーターフェンス１００の保管時のスペースを小さくすることができる。
【００７３】
また、第１実施形態では、上記のように、側面部材２を、対向するように一対設け、一対の側面部材２がそれぞれ移動するのを抑制するつっかえ棒５を設ける。これにより、側面部材２が水により動かされるのを抑制することができる。また、一対の側面部材２が内側に倒れ込むのを抑制することができるので、側面からの浸水をより効果的に抑制することができる。
【００７４】
また、第１実施形態では、上記のように、本体部材１の背面部１２が背面側（Ｙ１方向側）に倒れるのを抑制する背面支持部材５２を設ける。これにより、背面部１２が水に押されて倒れるのを抑制することができるので、浸水をより確実に防ぐことができる。
【００７５】
また、第１実施形態では、上記のように、本体部材１および側面部材２の少なくとも一部を、分割可能に構成し、分割された部分同士を、止水ファスナー１４により接続可能に構成する。これにより、本体部材１および側面部材２の一部を分割することにより、ウォーターフェンス１００の水平方向の長さを容易に調整することができる。また、分割することにより、ウォーターフェンス１００の保管時のスペースを容易に小さくすることができる。また、止水ファスナー１４により継手からの浸水を抑制することができる。
【００７６】
（第２実施形態）
次に、図１１および図１２を参照して、本発明の第２実施形態について説明する。この第２実施形態では、背面部の背面側に底面部材をさらに設けた構成の例について説明する。
【００７７】
（ウォーターフェンスの構成）
本発明の第２実施形態によるウォーターフェンス２００は、図１１に示すように、本体部材１と、側面部材２と、設置力増強部材３とを備えている。また、本体部材１には、自吸機能を有したポンプ４が接続されている。また、本体部材１は、底部１１と、背面部１２と、吸水装置取付部１３とを含んでいる。なお、ポンプ４は、特許請求の範囲の「吸水装置」の一例である。
【００７８】
ここで、第２実施形態では、ウォーターフェンス２００は、背面部１２および側面部材２に接続され、背面部１２の背面側（Ｙ１方向側）の設置面に配置される底面部材６をさらに備える。底面部材６は、側面部材２および背面部１２に止水ファスナーにより接続されている。また、底面部材６は、図１２に示すように、背面部１２との接続を解除すると、側面部材２に対して、回動することが可能に構成されている。これにより、容易に折り畳んで保管することが可能である。
【００７９】
底面部材６は、水平方向（ＸＹ方向）に沿って延びる板状に形成されている。また、底面部材６は、矩形形状に形成されている。また、底面部材６は、水を透過させない素材により形成されている。また、底面部材６は、折り畳み可能な部材により形成されている。底面部材６は、板材と、板材を覆う防水性の被覆材とにより形成されている。板材は、板材１１１と同様の部材により形成されている。被覆材は、被覆材１１２と同様の部材により形成されている。
【００８０】
なお、第２実施形態のその他の構成は、上記第１実施形態と同様である。
【００８１】
（第２実施形態の効果）
第２実施形態では、以下のような効果を得ることができる。
【００８２】
第２実施形態では、上記第１実施形態と同様に、本体部材１と側面部材２とを設ける。これにより、本体部材１と側面部材２とを設置面に設置することにより、浸水を抑制したい開口部を容易に塞ぐことができるので、ウォーターフェンス２００を設備として予め開口部を形成する壁や柱などに設置する必要がない。その結果、ウォーターフェンス２００が予め設置されていない場所でも、浸水を効果的に抑制することができる。また、本体部材１の背面部１２に接続されて背面方向（Ｙ１方向）かつ鉛直方向（Ｚ方向）に沿って延びる側面部材２を設ける。これにより、本体部材１の背面部１２を水が回り込んでくるのを側面部材２により抑制することができるので、浸水をより効果的に抑制することができる。その結果、背面部１２により開口部全体を塞がなくても浸水を効果的に抑制することができるので、背面部１２を跨ぐことにより、人が容易に出入りすることができる。また、本体部材１の底部１１に、底部１１と設置面との間の水を吸い取るポンプ４を取り付けるための吸水装置取付部１３を設ける。これにより、ポンプ４によりウォーターフェンス２００の底部１１と設置面との間の水が空気とともに吸い取られるので、ウォーターフェンス２００の底部１１と設置面との間に負圧を発生させることができる。その結果、底部１１および底部１１に接続された背面部１２を含む本体部材１が設置面に対して浮き上がるのを抑制することができるので、ウォーターフェンス２００の総重量を小さくした場合でも、ウォーターフェンス２００が水に流されるのを抑制することができる。また、ポンプ４により、侵入しようとする水を排出することができるので、浸水を効果的に抑制することができる。
【００８３】
また、第２実施形態では、上記のように、背面部１２および側面部材２に接続され、背面部１２の背面側（Ｙ１方向側）の設置面に配置される底面部材６をさらに備える。このように構成すれば、背面部１２および側面部材２が接続されている角部の設置面に底面部材６を配置することができるので、角部の底面からの浸水を効果的に抑制することができる。
【００８４】
なお、第２実施形態のその他の効果は、上記第１実施形態と同様である。
【００８５】
（変形例）
なお、今回開示された実施形態は、すべての点で例示であって制限的なものではないと考えられるべきである。本発明の範囲は、上記した実施形態の説明ではなく特許請求の範囲によって示され、さらに特許請求の範囲と均等の意味および範囲内でのすべての変更（変形例）が含まれる。
【００８６】
たとえば、上記第１および第２実施形態では、底部の板材、背面部の板材および側面部材の板材をプラスチック製段ボールにより形成する構成の例を示したが、本発明はこれに限らない。本発明では、底部の板材、背面部の板材および側面部材の板材を、プラスチック製段ボール以外により形成してもよい。
【００８７】
また、上記第１および第２実施形態では、底部、背面部および側面部材を、折り畳み可能な部材により形成する構成の例を示したが、本発明はこれに限らない。本発明では、底部、背面部および側面部材を、硬質の板状の部材により形成してもよい。また、底部、背面部および側面部材を、巻き回してコンパクトにすることが可能な部材により形成してもよい。
【００８８】
また、上記第１および第２実施形態では、底部に設置力増強部材を貼り付ける構成の例を示したが、本発明はこれに限らない。本発明では、図１３および図１４に示す変形例のように、底部１１と、設置力増強部材３との間に配置され、底部１１の底面を覆う底板３２をさらに設けてもよい。この場合、設置力増強部材３は、底板３２に貼り付けられていることが望ましい。たとえば、設置力増強部材３は、両面テープなどの接着層を介して、底板３２に取り付けられてもよい。また、図１３および図１４に示す変形例では、底板３２は、吸水装置取付部１３を中心に底部１１に２つ設けられているが、１つだけ設けるよう構成してもよい。また、底板３２は、当接部１３１および締結部材１３３の締め付け力により固定してもよい。また、底板３２は、樹脂などにより形成されていてもよい。また、底板３２の厚さは、たとえば、０．５ｍｍ以上１ｍｍ以下程度である。このように構成することで、底板３２によりウォーターフェンス１００の底部１１の強度を向上させることができる。
【００８９】
また、上記第１および第２実施形態では、被覆材により底部、背面部および側面部材が覆われた構成の例を示したが、本発明はこれに限らない。本発明では、底部、背面部および側面部材を被覆材により覆ってなくてもよい。
【００９０】
また、上記第１および第２実施形態では、ウォーターフェンスが直線的に形成されている構成の例を示したが、本発明はこれに限らない。本発明では、ウォーターフェンスが折れ曲がるように形成されていてもよい。
【００９１】
また、上記第１および第２実施形態では、本体部材が分割可能な構成の例を示したが、本発明はこれに限らない。本発明では、本体部材および側面部材の少なくとも一部が分割可能であってもよいし、本体部材および側面部材が分割できなくてもよい。
【００９２】
また、上記第１および第２実施形態では、設置力増強部材が、１層により形成されている例を示したが、本発明はこれに限らない。本発明では、設置力増強部材を２層以上により形成してもよい。また、設置力増強部材を、気孔率８０％〜９０％程度のスポンジ材により形成してもよい。また、設置力増強部材を、吸水率が大きい材料により形成してもよい。たとえば、設置力増強部材を、ＰＶＡ（ポリビニールアルコール）製のスポンジ材により形成してもよい。
【００９３】
また、上記第１および第２実施形態では、吸水装置として自吸式のポンプを用いる例を示したが、本発明はこれに限らない。本発明では、自吸式に限らず、吸水機能を有するポンプであれば特に限定されない。また、真空ポンプや掃除機などの真空吸引方式の吸引装置を用いてもよい。
【符号の説明】
【００９４】
１  本体部材
２  側面部材
３  設置力増強部材
４  ポンプ（吸水装置）
５  つっかえ棒（側面支持部材）
６  底面部材
１１  底部
１２  背面部
１３  吸水装置取付部
１４  止水ファスナー
１６  底板
２１、１１１、１２１  板材
２２、１１２、１２２  被覆材
５１  ウェイト（側面支持部材）
５２  背面支持部材
１００、２００  ウォーターフェンス
【図１】
2018053533.tif 000003
【図２】
2018053533.tif 000004
【図３】
2018053533.tif 000005
【図４】
2018053533.tif 000006
【図５】
2018053533.tif 000007
【図６】
2018053533.tif 000008
【図７】
2018053533.tif 000009
【図８】
2018053533.tif 000010
【図９】
2018053533.tif 000011
【図１０】
2018053533.tif 000012
【図１１】
2018053533.tif 000013
【図１２】
2018053533.tif 000014
【図１３】
2018053533.tif 000015
【図１４】
2018053533.tif 000016